(57)【要約】【課題】蓋材の開封時に容易に開封でき、廃棄時に容易に減容化できる紙容器を提供することにある。【解決手段】紙基材層の少なくとも一方の面に樹脂層を積層した積層材からなり、蓋材で容器開口部を密封シールする紙容器において、紙容器（１）の胴部（２）内面及びフランジ部（３）の蓋材とシールされる面が低密度ポリエチレン樹脂５０〜９５重量％に対しポリブテン−１樹脂５０〜５重量％の配合割合で混合し、加熱混練してなり、低密度ポリエチレン樹脂からなるマトリックス中にポリブテン−１樹脂からなる楕円状ドメイン（領域）を分散させたブレンド樹脂層（１１）からなることを特徴とする。【選択図】図１
2004090972.tif 000002
【特許請求の範囲】
【請求項１】
紙基材層の少なくとも一方の面に樹脂層を積層した積層材からなり、蓋材で容器開口部を密封シールする紙容器において、紙容器の胴部内面及びフランジ部の蓋材とシールされる面が低密度ポリエチレン樹脂５０〜９５重量％に対しポリブテンー１樹脂５０〜５重量％の配合割合で混合し、加熱混練してなり、低密度ポリエチレン樹脂からなるマトリックス中にポリブテン−１樹脂からなる楕円状ドメイン（領域）を分散させたブレンド樹脂層からなることを特徴とする易開封性、易減容性を有する紙容器。
【発明の詳細な説明】
【０００１】
【発明の属する技術分野】
本発明は、蓋材で容器開口部を密封シールする紙容器に関するものである。
【０００２】
【従来の技術】
各種内容物を充填し、蓋材で開口部を密封シールした紙容器を開封する時に簡単に開封できる機能を付与させる方法として、基材層／ポリエチレン樹脂層／シール層の積層構成で、そのシール層にエチレン・酢酸ビニル共重合体樹脂にワックス類を混合したホッメルト剤を使用した蓋材を使用し、そのシール層を紙層／ポリエチレン樹脂層からなる紙容器のフランジ部のポリエチレン樹脂層面にヒートシールして密封する方法が一般的に行われている。
【０００３】
【発明が解決しようとする課題】
しかしながら、前記積層構成の蓋材を使用すると、ヒートシールする時の圧力が強すぎると、蓋材のポリエチレン樹脂と紙容器のポリエチレン樹脂が熱融着してしまい、開封し難い等の問題があった。さらに、近年、紙容器の場合、使用している紙のリサイクル使用が強く求められており、廃棄時に容易に減容化できる機能を有するものが求められていた。
【０００４】
本発明の課題は、蓋材の開封時に容易に開封でき、廃棄時に容易に減容化できる紙容器を提供することにある。
【０００５】
【課題を解決するための手段】
本発明の請求項１に係る発明は、紙基材層の少なくとも一方の面に樹脂層を積層した積層材からなり、蓋材で容器開口部を密封シールする紙容器において、紙容器の胴部内面及びフランジ部の蓋材とシールされる面が低密度ポリエチレン樹脂５０〜９５重量％に対しポリブテン−１樹脂５０〜５重量％の配合割合で混合し、加熱混練してなり、低密度ポリエチレン樹脂からなるマトリックス中にポリブテン−１樹脂からなる楕円状ドメイン（領域）を分散させたブレンド樹脂層からなることを特徴とする易開封性、易減容性を有する紙容器である。
【０００６】
【作用】
本発明によれば、紙基材層の少なくとも一方の面に樹脂層を積層した積層材からなり、紙容器の胴部内面及びフランジ部の蓋材とヒートシールされる面が低密度ポリエチレン樹脂５０〜９５重量％に対しポリブテン−１樹脂５０〜５重量％の配合割合で混合し、二軸押出機などで加熱混練したブレンド樹脂層からなっているので、そのブレンド樹脂層が低密度ポリエチレン樹脂からなるマトリックス中にポリブテン−１樹脂からなる楕円状ドメイン（領域）を分散させた状態になっている為に優れたイージーピール性を有している。従って、蓋材には基材層／ポリエチレン樹脂層構成の単純な蓋材を用いて、紙容器のフランジ部とヒートシールし、密封したものは、開封時に容易に開封することができる。さらに、底部等の接合部分も簡単に開くことができ、廃棄する時の減容化が容易である。
【０００７】
【発明の実施の形態】
本発明の易開封性、易減容性を有する紙容器を、実施の形態に沿って以下に詳細に説明する。
【０００８】
図２（ａ）は本発明の易開封性、易減容性を有する紙容器の胴部及びフランジ部に使用する積層材の一例を示す側断面図であり、紙基材層（１０）の一方の面にブレンド樹脂層（１１）を積層した積層構成からなっており、（ｂ）は紙容器の胴部及びフランジ部に使用する積層材の他の例を示す側断面図であり、紙基材層（１０）の一方の面にブレンド樹脂層（１１）を積層し、他方の面に汎用樹脂層（１２）を積層した積層構成からなっており、（ｃ）は紙容器の底部に使用する積層材の一例を示す側断面図であり、紙基材層（１０）の一方の面に汎用樹脂層（１２）を積層した積層構成からなっており、（ｄ）は紙容器の底部に使用する積層材の他の例を示す側断面図であり、紙基材層（１０）の両面に汎用樹脂層（１２）を積層した積層構成からなっており、（ｅ）は紙容器の胴部及ぶフランジ部に使用する積層材のブレンド樹脂層（１１）の内部構造の説明図である。
【０００９】
前記ブレンド樹脂層（１１）は、低密度ポリエチレン樹脂５０〜９５重量％に対しポリブテン−１樹脂５０〜５重量％の配合割合で混合した樹脂を二軸押出機などを用いて２８０℃位に加熱し、混練したものからなっている。。従って、低密度ポリエチレン樹脂（２０）からなるマトリックス中にポリブテン−１樹脂（２１）からなる楕円状ドメイン（領域）が分散した構造になっており、前記構造になっている為に前記ブレンド樹脂層の樹脂と他の樹脂を合わせ、加熱加圧した場合に双方の樹脂が完全に熱融着しないで、双方の樹脂を引き離す時に双方の樹脂界面で凝集破壊が生じ、容易に引き離すことができる機能を有する。通常このような機能をイージーピール性という。前記配合割合のブレンド樹脂が良好なピール強度を保持している。
【００１０】
前記紙基材層（１０）には、坪量１００〜５００ｇ／ｍ２　の板紙を使用する。
【００１１】
前記汎用樹脂層（１２）には、通常低密度ポリエチレン樹脂を使用し、厚さ１０μｍ〜３０μｍ程度のものを使用する。
【００１２】
前記紙容器の胴部（２）及びフランジ部（３）に使用する積層材のブレンド樹脂層（１１）と反対側の紙基材層（１０）表面に印刷層を設けても良い。さらに、紙容器の胴部（２）及びフランジ部（３）に使用する積層材の紙基材層（１０）と汎用樹脂層（１２）の間に印刷層を設けても良い。
【００１３】
図１は本発明の易開封性、易減容性を有する紙容器の一例を示す断面図であり、紙容器（１）の胴部（２）及びフランジ部（３）は紙基材層（１０）の一方の面にブレンド樹脂層（１１）を積層し、他方の面に汎用樹脂層（１２）を積層した積層材からなっており、底部（４）は紙基材層（１０）の両面に汎用樹脂層（１２）を積層した積層材からなっている。さらに、紙容器（１）の上側には開口部（５）を有している。紙容器（１）の胴部（２）内面及びフランジ部（３）の蓋材とヒートシールされる面は必ずブレンド樹脂層（１１）からなるようにする。さらに、底部（４）の内容物に接する面は汎用樹脂層（１２）からなるようにする。
【００１４】
紙容器（１）が前記の如き構造からなっているので、内容物を取り出す時に易開封性を有すると共に、廃棄時に容易に胴部（２）と底部（４）の接合部分あるいはその他の接合部分を引き離せ、減容化して廃棄できる。
【００１５】
図３は本発明の易開封性、易減容性を有する紙容器の開口部に密封シールした蓋材を開封する状態を説明する断面図である。紙容器（１）の開口部を基材層（３１）／シール層（３２）からなる蓋材（３０）で密封シールしたもので、開封時は蓋材（３０）のシール層（３２）とヒートシールされたフランジ部（３）のブレンド樹脂層（１１）とが容易に引き剥がすことができ、簡単に開封出来る。
【００１６】
なお、前記蓋材（３０）の基材層（３１）は、一般的に紙単体あるいは紙／アルミニウム箔等の積層構成のものが多く使用され、シール層（３２）には汎用樹脂、特に低密度ポリエチレン樹脂が一般的に使用される。
【００１７】
【発明の効果】
本発明の易開封性、易減容性を有する紙容器は、紙基材層の少なくとも一方の面に樹脂層を積層した積層材からなり、紙容器の胴部内面及びフランジ部の蓋材ヒートシールされる面が低密度ポリエチレン樹脂５０〜９５重量％に対しポリブテン−１樹脂５０〜５重量％の配合割合で混合し、加熱混練したブレンド樹脂層からなっているので、そのブレンド樹脂層が低密度ポリエチレン樹脂からなるマトリックス中にポリブテン−１樹脂からなる楕円状ドメイン（領域）を分散させた状態になっている為に優れたイージーピール性を有している。従って、基材層／ポリエチレン樹脂層構成の単純な蓋材を用いて、紙容器のフランジ部とヒートシールし、密封したものは、開封時に容易に開封することができる。さらに紙容器の底部、その他の接合部分も簡単に開くことができ、廃棄する時の減容化が容易である。
【図面の簡単な説明】
【図１】本発明の易開封性、易減容性を有する紙容器の一例を示す断面図である。
【図２】（ａ）は本発明の易開封性、易減容性を有する紙容器の胴部及びフランジ部に使用する積層材の一例を示す側断面図であり、（ｂ）は紙容器の胴部及びフランジ部に使用する積層材の他の例を示す側断面図であり、（ｃ）は紙容器の底部に使用する積層材の一例を示す側断面図であり、（ｄ）は紙容器の底部に使用する積層材の他の例を示す側断面図であり、（ｅ）は紙容器の胴部及びフランジ部に使用する積層材のブレンド樹脂層の内部構造の説明図である。
【図３】本発明の易開封性、易減容性を有する紙容器に密封シールした蓋材の開封状態を説明する断面図である。
【符号の説明】
１…紙容器
２…胴部
３…フランジ部
４…底部
５…開口部
１０…紙基材層
１１…ブレンド樹脂層
１２…汎用樹脂層
２０…低密度ポリエチレン樹脂
２１…ポリブテン−１樹脂
３０…蓋材
３１…基材層
３２…シール層
【図１】
2004090972.tif 000003
【図２】
2004090972.tif 000004
【図３】
2004090972.tif 000005